(57)【要約】【課題】電源コードのインレットへの挿入不安定によるスパークの発生を防ぐことができる装置を提供する。【解決手段】インレット５に電源コード１００を奥まで挿入した状態でカバー部２を機外側から機内側へ回動させるとロック部７が連動して回動しカバー部２の突出部２ｂを挟み込みカバー部２がロックされ、電源コード１００はインレット５から抜けないようロックされる。【選択図】図１
2009176663.tif 000002
【特許請求の範囲】
【請求項１】
インレットと、
前記インレットに奥まで挿入された電源コードが抜けないよう前記電源コードを覆う状態になることが可能なカバー部と、
前記電源コードを覆う状態まで前記カバー部が動く際に連動し前記カバー部をロックするロック部と、を備えることを特徴とする装置。
【請求項２】
前記ロック部は回動自在な略コ字状部材であり、
前記電源コードを覆う状態まで前記カバー部が動く際に、前記カバー部が有する突出部と前記ロック部との当接により前記ロック部が回動し、前記ロック部は前記突出部を挟み込むことで前記カバー部をロックすることを特徴とする請求項１に記載の装置。
【請求項３】
前記カバー部は略Ｌ字状部と前記突出部とを有し、前記略Ｌ字状部の先端部において回動自在に支持され、前記カバー部が回動することにより前記カバー部は前記電源コードを覆う状態になることを特徴とする請求項２に記載の装置。
【請求項４】
商用電源からの電圧供給のオンオフを切換えるメインスイッチと、
前記メインスイッチがオンにされると、前記カバー部がロックされているか否かを判定し、前記カバー部がロックされている場合、装置を起動させ、前記カバー部がロックされていない場合、装置を起動させない制御部と、を備えることを特徴とする請求項１〜請求項３のいずれかに記載の装置。
【請求項５】
前記カバー部がロックされた状態で前記カバー部による押圧によりオンとなり、前記カバー部がロックされていない状態でオフとなるプッシュ型スイッチを備え、前記制御部は前記プッシュ型スイッチのオンオフを判定することで前記カバー部がロックされているか否かを判定することを特徴とする請求項４に記載の装置。
【発明の詳細な説明】
【技術分野】
【０００１】
本発明はインレットを備える装置に関する。
【背景技術】
【０００２】
従来から、あらゆる装置には電源コードが挿入されるインレットが設けられている。このような装置として、例えば特許文献１には、蓋が脱却された状態では連動部材がインレットの入口を閉塞した状態でロックされる第１のロック機構と、この第１のロック機構をロックする第２のロック機構とを設け、蓋が脱却された状態ではインレットの入口を開放できず電源コードをインレットに装着できず、ランプの交換時等に内部に手指を挿入して感電したり、ランプ点灯により火傷をしたりすることを防げるとしたプロジェクタが開示されている。
【特許文献１】特開平１１−２０２４０７号公報
【発明の開示】
【発明が解決しようとする課題】
【０００３】
しかし、上記特許文献１のプロジェクタや従来のインレットを備える装置では、電源コードをインレットに奥まで挿入したつもりでも実際は挿入が不安定になっていたり、最初はインレットに奥まで挿入されていても時間が経って電源コードが抜けて挿入が不安定になったりすることでスパークが発生するといった問題点があった。
【０００４】
また、インレットに正規品以外の電源コードを挿入することも可能であり、正規品以外の電源コードを挿入した場合、電流値の違いから電源コードが発熱したり、物理的に電源コード挿入部分のサイズや形状が異なることから電源コードの挿入が不安定となりスパークが発生したりするといった問題点もあった。
【０００５】
上記問題点を鑑み、本発明は、電源コードのインレットへの挿入不安定によるスパークの発生を防ぐことができる装置を提供することを目的とする。
【課題を解決するための手段】
【０００６】
上記目的を達成するために本発明の装置は、インレットと、前記インレットに奥まで挿入された電源コードが抜けないよう前記電源コードを覆う状態になることが可能なカバー部と、前記電源コードを覆う状態まで前記カバー部が動く際に連動し前記カバー部をロックするロック部と、を備える構成としている。
【０００７】
このような構成によれば、カバー部のロックによりインレットに電源コードが奥まで挿入された状態が確実に保持されるので、挿入不安定によるスパークの発生を防ぐことができる。また、ロック部はカバー部の動きに連動してカバー部をロックするので、利用者はカバー部を動かすだけでカバー部をロックでき、電源コードのロックを容易にできる。
【０００８】
また、本発明の装置は、上記構成において、前記ロック部は回動自在な略コ字状部材であり、前記電源コードを覆う状態まで前記カバー部が動く際に、前記カバー部が有する突出部と前記ロック部との当接により前記ロック部が回動し、前記ロック部は前記突出部を挟み込むことで前記カバー部をロックする構成としてもよい。
【０００９】
また、本発明の装置は、上記構成において、前記カバー部は略Ｌ字状部と前記突出部とを有し、前記略Ｌ字状部の先端部において回動自在に支持され、前記カバー部が回動することにより前記カバー部は前記電源コードを覆う状態になる構成としてもよい。
【００１０】
また、本発明の装置は、上記構成において、商用電源からの電圧供給のオンオフを切換えるメインスイッチと、前記メインスイッチがオンにされると、前記カバー部がロックされているか否かを判定し、前記カバー部がロックされている場合、装置を起動させ、前記カバー部がロックされていない場合、装置を起動させない制御部と、を備える構成としてもよい。
【００１１】
このような構成によれば、電源コードが非正規品である場合、電源コードをインレットに奥まで挿入できずカバー部をロックできないので、メインスイッチをオンとしても装置は起動されない。装置を起動させるには正規品の電源コードを使用する他なく、非正規品の電源コードが使用されることを防ぐことができる。
【００１２】
また、本発明の装置は、上記構成において、前記カバー部がロックされた状態で前記カバー部による押圧によりオンとなり、前記カバー部がロックされていない状態でオフとなるプッシュ型スイッチを備え、前記制御部は前記プッシュ型スイッチのオンオフを判定することで前記カバー部がロックされているか否かを判定する構成としてもよい。
【発明の効果】
【００１３】
本発明の装置によれば、電源コードのインレットへの挿入不安定によるスパークの発生を防ぐことができる。
【発明を実施するための最良の形態】
【００１４】
以下、本発明の実施形態に関して図面を参照して説明する。ここでは、画像形成装置を一例として説明する。
【００１５】
図１（ａ）に、本発明に係る画像形成装置が有するインレット周辺の構成の側面図を示し、図１（ｂ）に、本発明に係る画像形成装置が有するインレット周辺の構成を機内側から機外側へ見た図を示す。
【００１６】
本発明に係る画像形成装置が有するインレット周辺の構成は、主にインレット支持部１、カバー部２、インレット５、ロック検知スイッチ６、ロック部７からなる。
【００１７】
インレット支持部１は画像形成装置の機内側（図１（ａ）において右側）から機外側（図１（ａ）において左側）へ突出しており、インレット５を支持する。カバー部２は、側面視略Ｌ字状のＬ字状部２ａと、Ｌ字状部２ａの先端部に幅方向全体に突出して形成される突出部２ｂとからなる。そして、インレット支持部１の先端部およびＬ字状部２ａの突出部２ｂが形成される側と異なる側の先端部には軸３が貫通され、軸３の両端部に形成されたねじにナット４が螺合して締め付けられることで軸３がインレット支持部１に固定され、カバー部２は軸３周りに回動自在に支持される。
【００１８】
インレット５には電源コード１００が接続される。電源コード１００は、コード部１００ａ、コネクタ基台部１００ｂ、コネクタ挿入部１００ｃを有し、コネクタ基台部１００ｂの側面よりコード部１００ａが伸び、コネクタ基台部１００ｂの前面にコネクタ挿入部１００ｃが突出して形成される。そして、コネクタ挿入部１００ｃがインレット５に挿入されることにより電源コード１００がインレット５に接続され、電源コード１００およびインレット５を介して画像形成装置に商用電源が供給される。コネクタ挿入部１００ｃをインレット５に奥まで挿入した状態でコネクタ基台部１００ｂはインレット５に当接しインレット支持部１に載置された状態となる。
【００１９】
また、インレット５の上方にはロック部７が設けられる。ロック部７は上面視略コ字状で回動自在となっており、カバー部２の突出部２ｂを挟み込むことによりカバー部２をロックする。また、ロック検知スイッチ６はプッシュ型スイッチであり、カバー部２のロックを検知するためのスイッチである。
【００２０】
また、図２に、本発明に係る画像形成装置が有する電源起動制御に関するブロック構成を示す。本構成は、メインスイッチ８、２４Ｖ電源部９、５Ｖ電源部１０、ＣＰＵ１１、ロック検知スイッチ６からなる。
【００２１】
メインスイッチ８は、商用電源１２から２４Ｖ電源部９および５Ｖ電源部１０への電圧供給のオンオフを切換えるスイッチである。
【００２２】
２４Ｖ電源部９は、商用電源１２から入力される交流電圧１００Ｖを直流電圧２４Ｖに変換して直流電圧２４Ｖを画像形成装置が有するエンジン基板やモータ等に出力する。また、５Ｖ電源部１０は、商用電源１２から入力される交流電圧１００Ｖを直流電圧５Ｖに変換して直流電圧５ＶをＣＰＵ１１に出力する。
【００２３】
また、ＣＰＵ１１は、制御プログラムを実行して装置各部を制御する演算処理装置である。
【００２４】
次に、本発明に係る画像形成装置における電源コードのロックに関して説明する。
【００２５】
まず、カバー部２が機外側に開いた状態（図１（ａ）の点線部）でインレット５に電源コード１００のコネクタ挿入部１００ｃを奥まで挿入する。この状態でロック検知スイッチ６はオフである。
【００２６】
そして、カバー部２を機内側へ（図１（ａ）の時計回りに）回動させてゆく。図３に、カバー部２を機内側へ回動させた場合の状態の変化を示す。なお、図３はカバー部２の上方から下方を見た図である。カバー部２を機内側へ回動させてゆくと、ある時点でカバー部２の突出部２ｂがロック部７に当接し、さらにカバー部２を回動させるとロック部７も連動して回動し、突出部２ｂがロック部７に挟み込まれカバー部２がロックされる。このとき、カバー部２はロック検知スイッチ６を押圧しロック検知スイッチ６はオンとなる。また、このとき、カバー部２のＬ字状部２ａは、電源コード１００のコネクタ基台部１００ｂの上面および後面、およびインレット５の上面に当接し、電源コード１００がインレット５から抜けないようカバー部２が電源コード１００を覆う形となる。
【００２７】
このようにカバー部２がロックされることで電源コード１００もインレット５から抜けないようにロックされ、電源コード１００をインレット５に奥まで挿入した状態が確実に保持されるので、挿入不安定によるスパークの発生を防ぐことができる。また、カバー部２の回動にロック部７が連動してカバー部２をロックするので、利用者はカバー部２を回動させるだけでカバー部２をロックでき、電源コード１００のロックを容易にできる。
【００２８】
次に、メインスイッチをオンとした場合の電源起動制御に関して図４のフローチャートを用いて説明する。
【００２９】
メインスイッチ８をオンとすると、５Ｖ電源部１０に商用電源１２から交流電圧１００Ｖが入力され、５Ｖ電源部１０が直流電圧５ＶをＣＰＵ１１に出力し、ＣＰＵ１１が起動する。このとき、２４Ｖ電源部９にも商用電源１２から交流電圧１００Ｖが入力されるが２４Ｖ電源部９は起動しない。
【００３０】
ＣＰＵ１１が起動すると、ステップＳ１で、ＣＰＵ１１はロック検知スイッチ６がオンであるか否かを判定し、もしオンであるなら（ステップＳ１のＹ）、ステップＳ２で、リモート信号を２４Ｖ電源部９に出力する。これにより、２４Ｖ電源部９が起動し直流電圧２４Ｖの出力を開始し、画像形成装置が起動される。
【００３１】
また、ステップＳ１でロック検知スイッチ６がオフであるなら（ステップＳ１のＮ）、ステップＳ３で、ＣＰＵ１１はリモート信号を２４Ｖ電源部９に出力せず、２４Ｖ電源部９は起動せず、画像形成装置が起動されない。
【００３２】
電源コード１００が正規品である場合、電源コード１００をインレット５に奥まで挿入できるので、前述のようにカバー部２を回動させてロック部７によりロックし電源コード１００をロックでき、その状態ではロック検知スイッチ６はカバー部２により押圧されてオンであるから、メインスイッチ８をオンにした場合、ステップＳ１からステップＳ２に進み、画像形成装置は起動される。
【００３３】
一方、電源コード１００が非正規品である場合、挿入部１００ｃの形状やサイズが正規品と異なるため、電源コード１００をインレット５に奥まで挿入することができず、カバー部２を回動させてもロック部７によりロックすることができないので、ロック検知スイッチ６はオフであり、メインスイッチ８をオンにした場合、ステップＳ１からステップＳ３に進み、画像形成装置は起動されない。これにより、装置を起動させようとすると正規品の電源コードを使用せざるを得ないので、非正規品の電源コードが使用されることを防ぐことができる。
【００３４】
なお、以上の実施形態では装置として画像形成装置を一例として説明したが、これに限らず本発明はインレットを備えるあらゆる装置に適用可能である。
【図面の簡単な説明】
【００３５】
【図１】は、（ａ）本発明に係る画像形成装置が有するインレット周辺の構成の側面図、（ｂ）本発明に係る画像形成装置が有するインレット周辺の構成を機内側から機外側へ見た図である。
【図２】は、本発明に係る画像形成装置が有する電源起動制御に関するブロック構成を示す図である。
【図３】は、カバー部を機内側へ回動させた場合の状態の変化を示す図である。
【図４】は、電源起動制御に関するフローチャートである。
【符号の説明】
【００３６】
１    インレット支持部
２    カバー部
３    軸
４    ナット
５    インレット
６    ロック検知スイッチ
７    ロック部
８    メインスイッチ
９    ２４Ｖ電源部
１０    ５Ｖ電源部
１１    ＣＰＵ
１２    商用電源
１００    電源コード
【図１】
2009176663.tif 000003
【図２】
2009176663.tif 000004
【図３】
2009176663.tif 000005
【図４】
2009176663.tif 000006